(57)【要約】【課題】テレビ番組と連携したインターネットホームページにおいて効果的に動画再生することが可能なテレビ放送受信装置及びテレビ放送送受信システムを提供する。【解決手段】映像信号、音声信号及び番組情報を受信する受信手段と、インターネット接続を行う通信手段と、インターネット接続速度情報及びエリア情報を記憶する記憶手段と、前記受信手段、通信手段及び記憶手段を制御する制御手段とを備え、前記制御手段は、前記受信手段からの番組情報に視聴中のテレビ番組に連携したＵＲＬ情報が含まれていた場合に、前記通信手段を介して前記記憶手段からのインターネット接続速度情報及びエリア情報を前記サーバへ送信し、前記サーバからＵＲＬを取得した場合に、当該ＵＲＬにアクセスしてインターネットホームページを表示することを特徴とする。【選択図】  図１
2004220337.tif 000002
【特許請求の範囲】
【請求項１】
インターネットを介してホームページにアクセスする機能を有するテレビ放送受信装置であって、映像信号、音声信号及び番組情報を受信する受信手段と、インターネット接続を行う通信手段と、前記テレビ放送受信装置のインターネット接続速度情報及びエリア情報を記憶する記憶手段と、前記受信手段、通信手段及び記憶手段を制御する制御手段とを備え、前記制御手段は、前記受信手段からの番組情報に視聴中のテレビ番組に連携したインターネットホームページに関する情報であるＵＲＬ情報が含まれていた場合に、前記通信手段を介して前記記憶手段のインターネット接続速度情報及びエリア情報を第１のサーバへ送信し、前記インターネット接続速度情報及びエリア情報に基づいて前記第１のサーバが選択した第２のサーバのＵＲＬにアクセスすることを特徴とするテレビ放送受信装置。
【請求項２】
エリア情報は、郵便番号及び／又は市外局番であることを特徴とする請求項１記載のテレビ放送受信装置。
【請求項３】
インターネット接続を行う通信手段と、第２のサーバに関する情報を管理しており、当該情報は少なくとも第２のサーバのＵＲＬ、動画情報及びエリア情報を含む動画サーバ管理手段とを備え、前記通信手段を介してテレビ放送受信装置からインターネット接続速度情報及びエリア情報を受け取った場合に、前記動画サーバ管理手段にて管理されている動画情報及び／又はエリア情報との比較を行い、当該比較結果に基づいて決定された第２のサーバのＵＲＬを前記テレビ放送受信装置へ送信することを特徴とする第１のサーバ。
【請求項４】
動画サーバ管理手段は、第２のサーバに関する情報として最大接続数を更に備えており、通信手段を介してテレビ放送受信装置からインターネット接続速度情報及びエリア情報を受け取った場合に、前記動画サーバ管理手段にて管理されている動画情報及び／又はエリア情報との比較を行い、当該比較結果及び前記動画サーバ管理手段にて管理されている最大接続数に基づいて決定された第２のサーバのＵＲＬを前記テレビ放送受信装置へ送信することを特徴とする請求項３記載の第１のサーバ。
【請求項５】
請求項１乃至請求項２で記載されたテレビ放送受信装置と、請求項３乃至請求項４で記載の第１のサーバと、第２のサーバから構成されるテレビ放送送受信システム。
【発明の詳細な説明】
【０００１】
【発明の属する技術分野】
本発明は、テレビ放送受信装置及びテレビ放送送受信システムに関し、更に詳しくは、テレビ番組と連携したインターネットホームページを表示することが可能なテレビ放送受信装置及びテレビ放送送受信システムに関する。
【０００２】
【従来の技術】
近年、テレビ放送を受信可能なパーソナルコンピュータやインターネットに接続可能なテレビ放送受信装置が提供されており、一般家庭へのインターネットの普及率が高まっている。前記インターネット接続可能なテレビ放送受信装置では、テレビ番組と連携してインターネットホームページを自動的にテレビ放送受信装置に表示させる方法が公知である（例えば特許文献１参照）。
【０００３】
【特許文献１】
特許第３１６７１０９号公報
【０００４】
【発明が解決しようとする課題】
しかしながら、上記従来技術のテレビ放送受信装置では、特定のＵＲＬ（Ｕｎｉｆｏｒｍ  Ｒｅｓｏｒｃｅ  Ｌｏｃａｔｏｒ）にアクセスが集中し、静止画ならまだしもストリーミング等の動画においては、アクセス数の増大やネットワークの接続速度が足りない場合等の理由により、正常に再生、画面表示できなくなるという問題があった。
【０００５】
本発明は、上記事情に鑑みて成されたもので、テレビ番組と連携したインターネットホームページにおいて効果的に動画再生することが可能なテレビ放送受信装置及びテレビ放送送受信システムを提供することを目的とする。
【０００６】
【課題を解決するための手段】
本発明の請求項１に係るテレビ放送受信装置は、インターネットを介してホームページにアクセスする機能を有するテレビ放送受信装置であって、映像信号、音声信号及び番組情報を受信する受信手段と、インターネット接続を行う通信手段と、前記テレビ放送受信装置のインターネット接続速度情報及びエリア情報を記憶する記憶手段と、受信手段、通信手段及び記憶手段を制御する制御手段とを備え、制御手段は、受信手段からの番組情報に視聴中のテレビ番組に連携したインターネットホームページに関する情報であるＵＲＬ情報が含まれていた場合に、通信手段を介して記憶手段のインターネット接続速度情報及びエリア情報を第１のサーバへ送信し、インターネット接続速度情報及びエリア情報に基づいて第１のサーバが選択した第２のサーバのＵＲＬにアクセスすることを特徴とする。
【０００７】
また、本発明の請求項２に係るテレビ放送受信装置は、請求項１のテレビ放送受信装置の構成に加えて、エリア情報は、郵便番号及び／又は市外局番であることを特徴とする。
【０００８】
また、本発明の請求項３に係る第１のサーバは、インターネット接続を行う通信手段と、第２のサーバに関する情報を管理しており、当該情報は少なくとも第２のサーバのＵＲＬ、動画情報及びエリア情報を含む動画サーバ管理手段とを備え、通信手段を介してテレビ放送受信装置からインターネット接続速度情報及びエリア情報を受け取った場合に、動画サーバ管理手段にて管理されている動画情報及び／又はエリア情報との比較を行い、当該比較結果に基づいて決定された第２のサーバのＵＲＬをテレビ放送受信装置へ送信することを特徴とする。
【０００９】
また、本発明の請求項４に係る第１のサーバは、請求項３の第１のサーバの構成に加え、動画サーバ管理手段は、第２のサーバに関する情報として最大接続数を更に備えており、通信手段を介してテレビ放送受信装置からインターネット接続速度情報及びエリア情報を受け取った場合に、動画サーバ管理手段にて管理されている動画情報及び／又はエリア情報との比較を行い、当該比較結果及び動画サーバ管理手段にて管理されている最大接続数に基づいて決定された第２のサーバのＵＲＬをテレビ放送受信装置へ送信することを特徴とする。
【００１０】
また、本発明の請求項５に係るテレビ放送送受信システムは、請求項１乃至請求項２で記載されたテレビ放送受信装置と、請求項３乃至請求項４で記載の第１のサーバと、第２のサーバから構成されることを特徴とする。
【００１１】
【発明の実施の形態】
図１は、本発明の実施の形態に係るテレビ放送送受信システムの構成を示す図である。テレビ放送送受信システムは、放送局１０１と、テレビ放送受信装置１０２と、通信装置１０３と、サーバ１０４と、動画サーバ１０５から構成される。
【００１２】
放送局１０１は、映像信号、音声信号及び番組情報をテレビ放送受信装置１０２へと送信する。ここで、番組情報は、テレビ番組と連携したインターネットホームページに関する情報であるＵＲＬ情報を含んでいる。
【００１３】
テレビ放送受信装置１０２は、放送局１０１からの信号に所定の処理を施し、当該放送局１０１からの信号をテレビ番組としてユーザに提供する。そして、テレビ番組と連携するＵＲＬ情報を認識した場合は、通信装置１０３を介してサーバ１０４にアクセスし、テレビ番組と連携したインターネットホームページを表示する。テレビ放送受信装置１０２の具体的な構成については、後ほど図２を用いて詳述する。
【００１４】
通信装置１０３は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデム、ＣＡＴＶ（Ｃｏｍｍｕｎｉｔｙ  Ａｎｔｅｎｎｎａ  ＴＶ）モデム等の装置であり、テレビ放送受信装置１０２をインターネット網１０４に接続する。
【００１５】
サーバ１０４は、放送局１０１から提供されるテレビ番組と連携したインターネット情報を通信装置１０３を介してテレビ放送受信装置１０２へ提供する。サーバ１０４の具体的な構成については、後ほど図４を用いて詳述する。
【００１６】
動画サーバ１０５は、ストリーミング動画を提供するサーバである。一般的にはＭｉｃｒｏｓｏｆｔ社のＷｉｎｄｏｗｓ（Ｒ）  Ｍｅｄｉａ  ＴｅｃｈｎｏｌｏｇｙやＲｅａｌＮｅｔｗｏｒｋｓ社のＲｅａｌ  ＶｉｄｅｏがＣＯＤＥＣ（ＣＯｄｅｒ／ＤＥＣｏｄｅｒ）として利用されているが、ＣＯＤＥＣの種類は問わない。
【００１７】
ここで、ＵＲＬ情報は、放送局１０１からの番組情報として送信されているが、インターネット網を介してサーバ１０５から定期的かつ自動的に送信されるようにしてもよい。あるいは、テレビ番組情報雑誌等に添付される記録媒体から取得されるようにしてもよい。
【００１８】
本実施の形態では、サーバ１０４が第１のサーバに相当し、動画サーバ１０５が第２のサーバに相当する。
【００１９】
次に図２を用いて、テレビ放送受信装置１０２の構成を説明する。テレビ放送受信装置１０２は、チューナ２０２と、外部入力部２０３と、通信部２０４と、入力切替部２０５と、制御部２０６と、記憶部２０７と、入力部２１０と、映像信号処理部２１１と、映像出力部２１２と、音声信号処理部２１３と、音声出力部２１４から構成される。
【００２０】
チューナ２０２は、アンテナ２０１を介して地上波放送あるいはＢＳ／ＣＳデジタル放送を受信し、高周波処理及び復調処理等を施した後、所定の信号として入力切替部２０５へ出力する。
【００２１】
外部入力部２０３は、例えばＤＶＤ（Ｄｉｇｉｔａｌ  Ｖｅｒｓａｔｉｌｅ  Ｄｉｓｋ）といった映像再生機器を接続する部位である。
【００２２】
通信部２０４は、例えばＲＪ−４５であり、１０Ｍｂｐｓ／１００Ｍｂｐｓ、あるいはそれ以上の通信速度を持ったチップを内蔵しており、通信装置１０３と接続している。
【００２３】
入力切替部２０５は、チューナ２０２からの信号と外部入力部２０３からの信号とを入力部２１０からの制御信号を元に切り替える。
【００２４】
制御部２０６は、テレビ放送受信装置１０２全体を制御する。入力部２１０から要求があった場合、入力切替部２０５からの映像信号及び音声信号と、通信部２０４からのインターネットコンテンツの映像信号及び音声信号を、夫々映像信号処理部２１１及び音声信号処理部２１３へ出力する。
【００２５】
記憶部２０７は、制御部２０６で使用する制御プログラム、実効接続速度情報及びエリア情報を記憶する。実効接続速度情報とは、インターネット網上でのテレビ放送受信装置１０２とサーバ１０４間のデータ転送速度の目安となる情報である。エリア情報とは、ユーザの居住地域に合わせたチャンネル設定やデータ放送情報を受信するための郵便番号や市外局番である。
【００２６】
入力部２１０は、選局要求や定期的な実効接続速度情報の取得要求等のユーザからの要求を受信し、制御部２０６へと通知する。
【００２７】
映像信号処理部２１１は、制御部２０６からの映像信号に所定の処理を施した後、映像出力部２１２へ出力する。映像出力部２１２は、ディスプレイ等の表示装置であり、映像信号処理部２１１からの映像信号を画面出力する。
【００２８】
音声信号処理部２１３は、制御部２０６からの音声信号に所定の処理を施した後、音声出力部２１４へ出力する。音声出力部２１４は、スピーカ等の装置であり、音声信号処理部２１３からの音声信号を音声出力する。
【００２９】
図３に、テレビ放送受信装置１０２の電源投入時の処理動作を示す。電源を投入した場合（Ｓ３０１）、実効接続速度情報の取得及びエリア情報の取得を行う（Ｓ３０２、Ｓ３０３）。実効接続速度は、通信部２０４を介してインターネットに接続するモデムやルータ内の情報を参照したり、ネットワークの回線接続速度の計測を行うホームページにアクセスすることにより取得する。また、ファイルダウンロードに要した時間から算出することもできる。エリア情報は、ユーザが予め設定した郵便番号及び／または市外局番より設定する。
【００３０】
上記処理後、ネットワークの実効速度情報を更新する設定がなされている場合、定期的に上記処理（Ｓ３０２、Ｓ３０３、Ｓ３０４でＹＥＳ）を繰り返す。
【００３１】
次に図４及び図５を用いて、サーバ１０４の構成を説明する。図４は、サーバ１０４の構成を示すブロック図である。図５は、サーバ１０４で保持されている管理情報を示す図である。サーバ１０４は、通信部４０１と、接続ユーザ管理部４０２と、動画サーバ管理部４０３と、接続ユーザ数管理部４０４と、ユーザ用選定ＵＲＬ決定部４０５から構成される。通信部４０１は例えばＲＪ−４５であり、１０Ｍｂｐｓ／１００Ｍｂｐｓ、あるいはそれ以上の通信速度を持ったチップを内蔵しており、サーバ１０４とインターネット網とを接続する。接続ユーザ管理部４０２と、動画サーバ管理部４０３と、接続ユーザ数管理部４０４と、ユーザ用選定ＵＲＬ決定部４０５はサーバ１０４で記憶される表形式あるいはデータベースといったデータであり、テレビ放送受信装置１０２からの接続に応じて随時更新される。図１において、サーバ１０４と動画サーバ１０５は別々となっているが、サーバ１０４が動画サーバ１０５の機能を持ってもよい。あるいは動画サーバ１０５がサーバ１０４の機能を持ってもよい。
【００３２】
接続ユーザ管理部４０２は、サーバ１０４に接続されているテレビ放送受信装置１０２の端末情報を管理する。接続ユーザ管理情報を図５（ａ）に示す。接続ユーザ管理情報は、接続ＩＤ、接続速度情報、設置エリアから構成される。ここで設置エリアは、郵便番号あるいは市外局番である。
【００３３】
動画サーバ管理部４０３は、実際に動画が保存されている動画サーバ１０５情報を管理する。動画サーバ管理情報を図５（ｂ）に示す。動画サーバ管理情報はサーバ名、ＵＲＬ、最大接続数、動画情報、設置エリアから構成される。
【００３４】
接続ユーザ数管理部４０４は、実際に動画サーバ１０５に接続されているテレビ放送受信装置１０２の数をサーバ毎に管理する。接続ユーザ数管理情報を図５（ｃ）に示す。接続ユーザ数管理情報は、サーバ名、残り接続可能数から構成される。
【００３５】
ユーザ用選定ＵＲＬ決定部４０５は、テレビ放送受信装置１０２からの要求に応じて、最適な動画サーバ１０５を決定して管理する。ユーザ用選定ＵＲＬ決定情報を図５（ｄ）に示す。ユーザ用選定ＵＲＬ決定情報は、接続ＩＤ、ＵＲＬから構成される。接続できる動画サーバ１０５が存在しない場合は、その旨をテレビ放送受信装置１０２に通知する。
【００３６】
ここで、図６を用いて、本発明のインターネットホームページ表示処理について説明する。
【００３７】
ユーザがテレビ番組を視聴しているときに（Ｓ６０１）、視聴しているテレビ番組に連携したＵＲＬ情報を認識した場合（Ｓ６０２でＹＥＳ）、テレビ放送受信装置１０２の接続ＩＤ、実効接続速度情報及びエリア情報を付加して該当するＵＲＬへアクセスする（Ｓ６０３）。アクセスの際、テレビ放送受信装置１０２の接続ＩＤ、実効接続速度情報及びエリア情報は、サーバ１０４内の接続ユーザ管理情報に記憶される。
【００３８】
ここで、該当するＵＲＬへアクセスする際に、ＧＵＩ（Ｇｒａｐｈｉｃ  Ｕｓｅｒ  Ｉｎｔｅｒｆａｃｅ）を伴うブラウザを起動する必要はない。テレビ放送受信装置１０２とサーバ１０４との情報の交換は、画面上に表示することなくＨＴＴＰ（Ｈｙｐｅｒ  Ｔｅｘｔ  Ｔｒａｎｓｆｅｒ  Ｐｒｏｔｏｃｏｌ）のＧＥＴコマンドやＰＯＳＴコマンドを実行することで可能となる。
【００３９】
次にサーバ１０４において、表示対象となるデータが動画か否かの判断を行う（Ｓ６０４）。表示対象データが動画でない場合は（Ｓ６０４でＮＯ）、該当するＵＲＬでのインターネット表示を行う（Ｓ６０５）。
【００４０】
一方、表示対象データが動画である場合は（Ｓ６０４でＹＥＳ）、接続ユーザ管理情報の接続速度情報と動画サーバ管理情報の動画情報との比較を行う（Ｓ６０６）。接続ユーザ管理情報の接続速度情報が動画サーバ管理情報の一番小さい動画情報より小さい場合は（Ｓ６０６でＮＯ）、動画表示不可能通知をテレビ放送受信装置１０２へ送信する（Ｓ６０７）。前記場合、テレビ放送受信装置１０２は、テレビ番組と連携したＵＲＬ情報があるのにも関わらず、インターネット表示はできない状態となる。
【００４１】
ここで、通知の方法の一例としては、所定のＵＲＬ（例えば、  ＨＹＰＥＲＬＩＮＫ  ”ｈｔｔｐ：／／ｎｏｔｈｉｎｇ”  ｈｔｔｐ：／／ｎｏｔｈｉｎｇ）を送信し、テレビ放送受信装置１０２において当該ＵＲＬを解釈し、動画情報を表示できないと判断することが考えられる。
【００４２】
接続ユーザ管理情報の接続速度情報が動画サーバ管理情報の一番小さい動画情報より大きい場合は（Ｓ６０６でＹＥＳ）、動画サーバ管理情報のうちさらに高レートの動画情報と比較して、再生できうる最大のものを決定する（Ｓ６０８）。そして、接続ユーザ管理情報の設置エリア及び／または接続ユーザ数管理情報に基づいて動画サーバ１０５のうち最適な動画サーバ１０５を決定し（Ｓ６０９）、当該最適サーバ１０５のＵＲＬでのインターネット表示を行う（Ｓ６１０）。
【００４３】
ここで、図５の管理情報を用いて、図６の処理について詳述する。テレビ放送受信装置１０２の接続ＩＤは「１０８７５４２２」であり、実効接続速度情報は「８００Ｋｂｐｓ」であり、エリア情報は「５６７−００２６」（大阪府茨木市）であるとする。前記情報は、サーバ１０４へアクセスした時に、接続ユーザ管理情報で接続ＩＤ、接続速度情報及び設置エリアとして管理される。
【００４４】
テレビ放送受信装置１０２が、テレビ番組視聴中に当該テレビ番組に連携した動画を含むＵＲＬ情報を認識した場合（Ｓ６０１，Ｓ６０２でＹＥＳ）、サーバ１０４へアクセスし（Ｓ６０３、Ｓ６０４でＹＥＳ）、接続ユーザ管理情報で管理されている接続速度情報と動画サーバ管理情報で管理されている動画情報との比較を行う（Ｓ６０６）。
【００４５】
接続速度情報は「８００Ｋｂｐｓ」であり、当該接続速度情報は、一番小さい動画情報「５００Ｋｂｐｓ」より大きく、次に小さい動画情報「１Ｍｂｐｓ」より小さいため、該当する動画サーバ１０５の候補として「ｔｉｇｅｒｓ」と「ｌｉｏｎｓ」が挙げられる（Ｓ６０８）。
【００４６】
しかしながら、「ｔｉｇｅｒｓ」は沖縄のサーバであり、「ｌｉｏｎｓ」は東京のサーバであり、テレビ放送受信装置１０２は大阪に設置されている装置であるため、テレビ放送受信装置１０２は、「ｌｉｏｎｓ」に近いと判断され（Ｓ６０９）、「ｌｉｏｎｓ」のＵＲＬ（  ＨＹＰＥＲＬＩＮＫ  ”ｈｔｔｐ：／／ｗｗｗ．ｂｒ．ｃｏ．ｊｐ／ｄｏｕｇａ３”  ｈｔｔｐ：／／ｗｗｗ．ｂｒ．ｃｏ．ｊｐ／ｄｏｕｇａ３）が選択され、当該ＵＲＬでインターネット表示が行われる（Ｓ６１０）。
【００４７】
上記処理により、テレビ放送受信装置１０２にはテレビ番組に連携した、動画を含むインターネットホームページが表示されるようになる。
【００４８】
なお、上記処理では、接続ユーザ管理情報の設置エリアによって最適なＵＲＬを決定しているが、接続ユーザ数管理情報の残り接続可能数を基に最適なＵＲＬを決定してもよい。
【００４９】
【発明の効果】
以上説明したように、本発明のテレビ放送受信装置及びテレビ放送送受信システムによれば、現在視聴されているテレビ番組と連携して動画を含むインターネットホームページを自動的にサーバから取得しテレビ画面上に表示させる場合、テレビ放送受信装置の状態に適した動画サーバを指定できることができるため、効果的に動画再生することができるという効果がある。
【図面の簡単な説明】
【図１】本発明の実施の形態によるテレビ放送送受信システムの構成を示す図
【図２】同実施の形態のテレビ放送受信装置の構成を示すブロック図
【図３】同実施の形態の電源投入時の処理を示すフローチャート
【図４】同実施の形態のサーバの構成を示すブロック図
【図５】（ａ）接続ユーザ管理情報を示す図
（ｂ）動画サーバ管理情報を示す図
（ｃ）接続ユーザ数管理情報を示す図
（ｄ）ユーザ用選定ＵＲＬ決定情報を示す図
【図６】同実施の形態のインターネットホームページ表示処理を示すフローチャート
【符号の説明】
１０１  放送局
１０２  テレビ放送受信装置
１０３  通信装置
１０４  サーバ
１０５  動画サーバ
２０１  アンテナ
２０２  チューナ
２０３  外部入力部
２０４、４０１  通信部
２０５  入力切替部
２０６  制御部
２０７  記憶部
２０８  実効接続速度情報
２０９  エリア情報
２１０  入力部
２１１  映像信号処理部
２１２  映像出力部
２１３  音声信号処理部
２１４  音声出力部
４０２  接続ユーザ管理部
４０３  動画サーバ管理部
４０４  接続ユーザ数管理部
４０５  ユーザ用選定ＵＲＬ決定部
【図１】
2004220337.tif 000003
【図２】
2004220337.tif 000004
【図３】
2004220337.tif 000005
【図４】
2004220337.tif 000006
【図５】
2004220337.tif 000007
【図６】
2004220337.tif 000008